(57)【要約】【課題】本発明は、簡略な構成で安全性が高く、容易に手すり棒の形状を一時的に変更できる手すり台、及び手すり台を用いた歩行訓練用平行棒を提供する。【解決手段】歩行訓練平行棒１には、手すり棒２を上方より覆うように手すり台８が設けられている。手すり台８は、手すり棒２の断面径より大きい幅を有する平面視四角形状の棒材で、下端面の中央近傍部に凹部８ａが設けられ、該凹部８ａに手すり棒２が嵌合される構成となっており、ピン支承を備えた連結部材９を介して手すり棒２に備えられた取り合い部材３に連結されている。これにより、手すり棒２を覆うように配置されている手すり台８は、不要時には、手すり棒２の外方で平行に配された連結部材９の軸部材１０を中心軸として、対をなす手すり棒２の外方側へ鉛直回転することにより、手すり棒２から容易に取り外すことができる。【選択図】  図１
2004187722.tif 000002
【特許請求の範囲】
【請求項１】
手すり棒を覆うように配され、着脱可能に取り付けられる手すり台であって、
幅が前記手すり棒の断面径よりも大きく、下面に手すり棒を嵌合する凹部を備えることを特徴とする手すり台。
【請求項２】
同一水平面上に所定の離間間隔を持って平行に配される対をなす手すり棒と、
対をなす該手すり棒各々の長さ方向に所定の間隔を持って複数配置され、手すり棒を支持する脚部とを備える歩行訓練用平行棒であって、
幅が手すり棒の断面径よりも大きく、下面に前記手すり棒を嵌合する凹部を備えた対をなす手すり台が、前記手すり棒各々に、その上面を覆うようにして着脱可能に設けられることを特徴とする歩行訓練用平行棒。
【請求項３】
請求項１に記載の歩行訓練用平行棒において、
対をなす前記手すり台各々が、前記手すり棒の下面に設けられる前記脚部との取り合い部材に、ピン支承を備えた連結部材を介して連結されており、
該手すり台が、対をなす手すり棒の外方側で鉛直方向の回転を自在に構成されることを特徴とする歩行訓練用平行棒。
【発明の詳細な説明】
【０００１】
【発明の属する技術分野】
本発明は、手すり棒の断面形状を一時的に変更するための手すり台、及び該手すり台を用いた歩行訓練のために使用する歩行訓練用平行棒に関する。
【０００２】
【従来の技術】
従来より、下半身に対してある種の治療やリハビリテーションを受けている患者は、歩行訓練を実施する際に患者自身を支えることを目的として歩行訓練用平行棒を利用することが多い。該歩行訓練用平行棒は、所定の高さ位置の同一水平面上において、所定の離間間隔を持って平行に、対をなす手すり棒が備えられた構成を有しており、患者は、対をなす該手すり棒の間に患者自身を置いた上で、手すり棒をつかみながら歩行訓練を行うものである。
【０００３】
【特許文献１】
特開昭５４−７７４２４号公報（第４図参照）
【０００４】
【発明が解決しようとする課題】
しかし、歩行訓練を必要とする患者の多くは、上体と腕の強さに欠ける場合が多く、断面経の小さい手すり捧を握ることで患者自身を十分に支えながら歩行訓練を実施することは困難となっている。
【０００５】
上記事情に鑑み、本発明は、簡略な構成で安全性が高く、容易に手すり棒の形状を一時的に変更できる手すり台、及び該手すり台を用いた歩行訓練用平行棒を提供することを目的としている。
【０００６】
【課題を解決するための手段】
請求項１記載の手すり台は、手すり棒を覆うように配され、着脱可能に取り付けられる手すり台であって、幅が前記手すり棒の断面径よりも大きく、下面に手すり棒を嵌合する凹部を備えることを特徴としている。
【０００７】
請求項２記載の歩行訓練用平行棒は、同一水平面上に所定の離間間隔を持って平行に配される対をなす手すり棒と、対をなす該手すり棒各々の長さ方向に所定の間隔を持って複数配置され、手すり棒を支持する脚部とを備える歩行訓練用平行棒であって、幅が手すり棒の断面径よりも大きく、下面に前記手すり棒を嵌合する凹部を備えた対をなす手すり台が、前記手すり棒各々に、その上面を覆うようにして着脱可能に設けられることを特徴としている。
【０００８】
請求項３記載の歩行訓練用平行棒は、対をなす前記手すり台各々が、前記手すり棒の下面に設けられる前記脚部との取り合い部材に、ピン支承を備えた連結部材を介して連結されており、該手すり台が、対をなす手すり棒の外方側で鉛直方向の回転を自在に構成されることを特徴としている。
【０００９】
【発明の実施の形態】
本発明の手すり台及び歩行訓練用平行棒を、図１から図４に示す。本発明は、所定の断面形状を備えた手すり台を、既存の手すり棒に対して着脱自在に備える構成とすることにより、既存の手すり棒の断面形状を簡略に変更することができるものであり、歩行訓練用平行棒は、歩行訓練時に患者が握る手すり棒に、前述の手すり台を備えることにより、歩行訓練を行う患者に応じて、適した断面形状の手すり棒を提供することができるものである。
【００１０】
図１に示すように、歩行訓練用平行棒１は、対をなす手すり棒２と、該手すり棒２を支持する複数の脚部４を備えている。
該手すり棒２は、断面が円形状で剛性の高い丸棒部材により構成されており、同一水平面上で所定の離間距離を持って平行に対をなして配置されている。これら対をなす手すり棒２の離間距離は、その間に患者自身を置いて、両手で対をなす手すり棒２をつかむに最適な距離に設定されている。
また、図２に示すように、水平に配された該手すり棒２の下面側には、所定の離間間隔を持って、鉛直下方向に延伸する棒材よりなる取り合い部材３が設けられており、その下方には取り合い部材３を内包でき、鉛直方向に伸びる中空部５を備える脚部４が配置されている。該脚部４は、用いる部材やその形状にこだわるものではなく、床面上に安定して立設し、前記手すり棒２を支持できる剛性の高い部材を用いるとともに、鉛直方向に伸びる中空部５を備える形状を有していれば、何れを用いてもよい。
【００１１】
このような構成の対をなす手すり棒２と複数の脚部４とは、床面上に立設された該脚部４の中空部５に、上方から前記手すり棒２に設けられた取り合い部材３を挿入することにより、手すり棒２は脚部４に支持され、歩行訓練平行棒１が構成されることとなる。
なお、図３に示すように、該歩行訓練平行棒１は、前記脚部４の下端部が、床面上に配されるとともに前記対をなす手すり棒２の両者に跨るように配された台板７に固定されている。したがって、対をなす手すり棒２各々に設けられた脚部４は、向かい合うもの同士が前記台板７を介して連結されることとなり、これにより、対をなす前記手すり棒２の離間間隔が一定に保持されるとともに、歩行訓練平行棒１自身が安定して床面上に配されるものである。
【００１２】
ところで、図２に示すように、前記取り合い部材３には、水平方向に貫通する孔３ａが、高さ方向に所定の間隔を持って複数設けられており、一方で、前記脚部４の側面にも、中空部５に貫通する孔５ａが設けられているとともに、該孔５ａには、前記取り合い部材３の孔３ａにも貫通するネジ部材６が取り付けられている。これらは、対をなす前記手すり棒２の高さを調整することを目的に設けられるもので、前記取り合い部材３の所望の高さ位置に設けられた孔３ａと、前記脚部４の側面に設けられた孔５ａとを水平方向で同軸状に配し、両者にネジ部材６を貫通させることにより、前記手すり棒２が、前記脚部４に対して所望の高さ位置に固定されるものである。なお、前記手すり棒２の高さ位置を調整する手段は、必ずしもこれにこだわるものではなく、手すり棒２を水平に安定して固定でき、患者を充分に支持できる耐力を有する構成であれば、何れを用いてもよい。
【００１３】
上述する構成の歩行訓練平行棒１には、図１に示すように、前記手すり棒２を上方より覆うように手すり台８が設けられている。該手すり台８は、手すり棒２の断面径より大きい幅と、手すり棒２とほぼ同様の長さを有する平面視四角形状の棒材で、下端面の中央近傍部に凹部が設けられ、該凹部８ａに手すり棒２が嵌合される構成となっている。
本実施の形態では、手すり台８を断面視四角形に形成したが、必ずしもこれにこだわるものではなく、幅が手すり棒２の断面形よりも大きく下面に手すり棒２を嵌合する凹部８ａが備えられる大きさを有していれば、何れの断面に形成してもよい。また、本実施の形態では、該手すり台８の部材長について、手すり棒２全体を覆うことができる長さに成形したが、必ずしもこれにこだわるものではなく、手すり棒２の必要な一部分を覆うことを目的に、手すり棒２よりも短く成形してもよい。
【００１４】
このような構成の手すり台８は、図１に示すように、連結部材９を介して前記手すり棒２に備えられた取り合い部材３に連結されている。該連結部材９は、図１及び図３に示すように、前記手すり棒２に対して平行となるように水平に配され、ピン支承として機能する棒状の軸部材１０と、該軸部材１０を介して連結され、該軸部材１０を貫通する孔が設けられた鉛直面、及び該鉛直面が外縁に固着され、軸部材１０に平行な平板とを備える２対の接合片１１ａ、１１ｂにより構成されており、少なくとも何れか一方の接合片１１ａ、１１ｂが、前記軸部材１０を中心軸として、鉛直方向に回転する構成を有している。
【００１５】
該連結部材９は、前記軸部材１０を対をなす前記手すり棒２の外方側に平行に配置した上で、一方の接合片１１ａの平板を前記手すり棒２の下面に備えられた取り合い部材３に固定手段を介して固定するとともに、他方の接合片１１ｂの平板を前記手すり台８の下面に固定手段を介して固定している。なお、前記手すり台８の下面に固定されている他方の接合片１１ｂは、手すり台８の下面に設けられている凹部８ａの表面に沿う形状に成形されており、該凹部８ａへの手すり棒２の嵌合を阻害することはない。
このように、該連結部材９を介して、歩行訓練用平行棒１の対をなす手すり棒２各々の取り合い部材３に対をなす手すり台８を連結することにより、図１に示すように、前記手すり棒２を覆うように配置されている手すり台８は、手すり棒２から取り外すと、連結部材９の軸部材１０を中心軸として、対をなす手すり棒２の外方側に鉛直回転する。
【００１６】
つまり、下面に設けられた凹部８ａに手すり棒２を嵌合するのみの構成よりなる脱着可能な手すり台８は、不要時に、対をなす手すり棒２の外方へ鉛直回転することにより、手すり棒２より取り外すことが可能であり、歩行訓練用平行棒１に連結された状態であるものの、対をなす手すり棒２の外方に配置されることとなるため、対をなす手すり棒２を用いた訓練の障害になることはない。また、取り外された手すり台８は、必要時に、対をなす手すり棒２の内方へ鉛直回転することにより、位置決め等を行うことなく、スムーズに下面に配された凹部８ａに手すり棒２を嵌合することができるため、歩行訓練を行う患者の上体や腕の強さに応じて、容易に手すり棒２もしくは手すり台８を選択することができるものである。
なお、該手すり台８は、鉛直方向の回転による手すり棒２への脱着をスムーズに行うことを目的に、前記凹部８ａの回転時外周側となる側辺にテーパーを設けており、前記凹部８ａは断面台形状に形成されている。
【００１７】
本実施の形態において、前記連結部材９の接合片１１ａ、１１ｂは、軸部材１０を貫通する孔が設けられた鉛直面、及び該鉛直面が外縁に固着され、軸部材１０と平行な平板とを備える形状としたが、必ずしもこれにこだわるものではなく、前記軸部材１０の周面を自在に鉛直回転できる軸部材１０と平行な平板を備える構成であれば、何れの形状を用いてもよい。
また、連結部材９を構成する接合片１１ａ、１１ｂの、前記手すり棒２に備えられた取り合い部材３への取り付け位置、及び手すり台８への取り付け位置は、必ずしも上述する位置にこだわるものではなく、前記接合片１１ａ、１１ｂの形状に応じて、前記手すり台８の脱着に係わる鉛直回転を阻害しないよう、適宜取り付け位置を決定すればよい。
【００１８】
なお、本実施の形態で用いた手すり台８は、必ずしも手すり棒２に連結させておく必要はなく、図４に示すように、単独で用いて必要時に手すり棒２を覆う構成としてもよい。なお、この場合には、前記取り合い部材３に前記手すり台８を水平に安定支持することを目的とした支持台１２を設けておくとよい。
また、該手すり台８は、歩行訓練用平行棒１にのみ用いられるものではなく、例えば、一般の建築物等に設けられている既存の手すり棒２の断面形状を一時的に改修することを目的に用いることも可能である。
さらに、該手すり台８を適用する手すり棒２は、必ずしも水平に配されている必要はなく、鉛直や傾斜を有して配されているもの等、何れに用いてもよい。
【００１９】
上述する構成によれば、手すり台８は、幅が前記手すり棒の断面径よりも大きく、下面に手すり棒２を嵌合する凹部８ａを備えることから、該凹部８ａに既存の手すり棒２を嵌合するのみで、手すり棒２の断面形状を一時的に変更することが可能となる。
【００２０】
また、歩行訓練用平行棒１に、前述する手すり台８が備えられていることから、簡略な構成で安全性も高くかつ容易に、訓練する患者に応じて手すり棒２の断面形状を適宜最適な形状に変更することが可能となる。
【００２１】
さらに、手すり台８が手すり棒の下面に設けられる取り合い部材３に、ピン支承を備えた連結部材９を介して連結され、該手すり台８が対をなす手すり棒２の外方側で鉛直回転を自在に構成されることから、不要時には、対をなす手すり棒２の外方へ手すり台８を鉛直回転することにより、手すり棒２より取り外すことが可能となる。また、必要時には、対をなす手すり棒２の内方へ鉛直回転することにより、位置決め等を行うことなく、スムーズに下面に配された凹部８ａに手すり棒２を嵌合することができるため、歩行訓練を行う患者の上体や腕の強さに応じて、容易に手すり棒２もしくは手すり台８を付け替えすることが可能となる。
【００２２】
【発明の効果】
請求項１記載の手すり台は、手すり棒を覆うように配され、着脱可能に取り付けられる手すり台であって、幅が前記手すり棒の断面径よりも大きく、下面に手すり棒を嵌合する凹部を備えることから、該凹部に既存の手すり棒を嵌合するのみで、手すり棒の断面形状を一時的に変更することが可能となる。
【００２３】
請求項２記載の歩行訓練用平行棒は、同一水平面上に所定の離間間隔を持って平行に配される対をなす手すり棒と、対をなす該手すり棒各々の長さ方向に所定の間隔を持って複数配置され、手すり棒を支持する脚部とを備える歩行訓練用平行棒であって、幅が手すり棒の断面径よりも大きく、下面に前記手すり棒を嵌合する凹部を備えた対をなす手すり台が、前記手すり棒各々に、その上面を覆うようにして着脱可能に設けられることから、簡略な構成で安全性も高くかつ容易に、訓練する患者に応じて手すり棒の断面形状を適宜最適な形状に変更することが可能となる。
【００２４】
請求項３記載の歩行訓練用平行棒は、対をなす前記手すり台各々が、前記手すり棒の下面に設けられる前記脚部との取り合い部材に、ピン支承を備えた連結部材を介して連結されており、該手すり台が、対をなす手すり棒の外方側で鉛直方向の回転を自在に構成されることから、不要時には、対をなす手すり棒の外方へ手すり台を鉛直回転することにより、手すり棒より取り外すことが可能となる。また、必要時には、対をなす手すり棒の内方へ鉛直回転することにより、位置決め等を行うことなく、スムーズに下面に配された凹部に手すり棒を嵌合することができるため、歩行訓練を行う患者の上体や腕の強さに応じて、容易に手すり棒もしくは手すり台を付け替えすることが可能となる。
【図面の簡単な説明】
【図１】本発明に係る歩行訓練用平行棒の正面を示す図である。
【図２】本発明に係る歩行訓練用平行棒の側面を示す図である。
【図３】本発明に係る歩行訓練用平行棒の平面を示す図である。
【図４】本発明に係る歩行訓練用平行棒の他の事例を示す図である。
【符号の説明】
１  歩行訓練用平行棒
２  手すり棒
３  取り合い部材
４  脚部
５  中空部
６  締め付け部材
７  台板
８  手すり台
９  連結部材
１０  軸部材
１１ａ  接合片
１１ｂ  接合片
１２  支持台
【図１】
2004187722.tif 000003
【図２】
2004187722.tif 000004
【図３】
2004187722.tif 000005
【図４】
2004187722.tif 000006